(57)【要約】  本発明は、ビニルアセテート４．９〜９５質量％、１以上の高沸点ビニルエステル４．９〜９５質量％、並びに場合により１以上のエチレン系不飽和補助モノマー０．１〜４０質量％のラジカル開始重合による、高沸点ビニルエステルのわずかな含分を有するビニルアセテート−ビニルエステル−混合ポリマーの製造法において、付加的に、ビニルアセテート０．１〜４０質量％を重合の変換率６５〜９９．９％で添加し、その際、上記の質量％での表記はそれぞれモノマーの全質量に関するものであり、かつそれぞれ合計１００質量％であることを特徴とする方法に関する。【特許請求の範囲】
【請求項１】
以下：
ビニルアセテート４．９〜９５質量％、
１以上の高沸点ビニルエステル４．９〜９５質量％、並びに場合により
１以上のエチレン系不飽和補助モノマー０．１〜４０質量％
のラジカル開始重合による、高沸点ビニルエステルのわずかな含分を有するビニルアセテート−ビニルエステル−混合ポリマーの製造法において、付加的に、ビニルアセテート０．１〜４０質量％を重合の変換率６５〜９９．９％で添加し、その際、上記の質量％での表記はそれぞれモノマーの全質量に関するものであり、かつそれぞれ合計１００質量％であることを特徴とする方法。
【請求項２】
高沸点ビニルエステルの含分が５００ｐｐｍ以下である、請求項１記載の方法。
【請求項３】
高沸点ビニルエステルが１０１３ｈＰａで有利には１５０℃以上の沸点を有する、請求項１又は２記載の方法。
【請求項４】
高沸点ビニルエステルとして、２０個までのＣ原子を有する直鎖モノカルボン酸のビニルエステル及び／又は５〜２０個のＣ原子を有する分枝鎖α−モノカルボン酸のビニルエステルを使用する、請求項１から３までのいずれか１項記載の方法。
【請求項５】
高沸点ビニルエステルとして、ビニルラウレート、ビニルステアレート、ビニルネオデカノエート、ＶｅｏＶａ９（Ｒ）及びＶｅｏＶａ１０（Ｒ）を含む群から選択された１以上のモノマーを使用する、請求項１から４までのいずれか１項記載の方法。
【請求項６】
ビニルアセテート−ビニルエステル−混合ポリマー中の非重合高沸点ビニルエステルの含分を、後重合により低減させる、請求項１から５までのいずれか１項記載の方法。
【請求項７】
ビニルアセテート−ビニルエステル−混合ポリマー中の残留モノマーの含分を、蒸留又はストリッピングにより低減させる、請求項１から６までのいずれか１項記載の方法。
【請求項８】
以下：
ビニルアセテート４．９〜９５質量％、
１以上の高沸点ビニルエステル４．９〜９５質量％、並びに場合により
１以上のエチレン系不飽和補助モノマー０．１〜４０質量％
のラジカル開始重合により得られる、高沸点ビニルエステルのわずかな含分を有するビニルアセテート−ビニルエステル−混合ポリマーにおいて、付加的に、ビニルアセテート０．１〜４０質量％が重合の変換率６５〜９９．９％で添加され、その際、上記の質量％での表記はそれぞれモノマーの全質量に関するものであり、かつそれぞれ合計１００質量％であることを特徴とするビニルアセテート−ビニルエステル−混合ポリマー。
【請求項９】
塗料用バインダーとしての、接着剤又は積層剤を製造するための、請求項８記載のビニルアセテート−ビニルエステル−混合ポリマーの使用。
【請求項１０】
仕上剤、チューインガム材料のための原料としての、又は低収縮剤としての、請求項８記載のビニルアセテート−ビニルエステル−混合ポリマーの使用。
【発明の詳細な説明】
【技術分野】
【０００１】
本発明は、高沸点ビニルエステルのわずかな含分を有するビニルアセテート−ビニルエステル−混合ポリマーの製造法、並びに、該方法により得られるビニルアセテート−ビニルエステル−混合ポリマー及びその使用に関する。
【０００２】
固体樹脂の形のビニルアセテート−ビニルエステル−混合ポリマーは、塊状−又は溶液重合法によるビニルアセテートとビニルエステルとのラジカル開始共重合により入手可能である。しかしながら、特にモノマーの全質量に対して２０質量％以上の高沸点ビニルエステルの割合を有する相応する共重合の場合には、非重合高沸点ビニルエステルの高い含分を有するビニルアセテート−ビニルエステル−混合ポリマーが得られる。しかしながら、このことは、ビニルアセテート−ビニルエステル−混合ポリマーを例えば被覆剤における成分として使用する場合には不利であり、それというのも、非重合高沸点ビニルエステルは付着性の悪化又は被覆の表面欠陥（ピンホール）を引き起こし得るか、又は、被覆の表面へと移動することがあり、これは粘性の表面を招くためである。さらに、高沸点ビニルエステルは揮発性有機物質（ＶＯＣ物質、ｖｏｌａｔｉｌｅ  ｏｒｇａｎｉｃ  ｃｏｍｐｏｕｎｄｓ）であり、該物質は使用製品から周囲へ放出されることができ、このようにして健康並びに環境に負荷をかける。世界保健機関の定義によれば、ＶＯＣ物質は大気圧で６０〜２５０℃の沸点範囲を有する。ＶＯＣ物質には、例えば、アルカン、アルケン、芳香族化合物、テルペン、ハロゲン炭化水素、エステル、アルデヒド又はケトンの物質群からの化合物が含まれる。高沸点揮発性ビニルエステルの例は、ビニルラウレート（沸点２５４℃／１０１３ｈＰａ）又は分枝鎖α−カルボン酸のビニルエステル、例えばＶｅｏＶａ９（Ｒ）（沸点１８５〜２００℃／１０１３ｈＰａ）又はＶｅｏＶａ１０（Ｒ）（沸点２４４〜２４７℃／１０１３ｈＰａ）（両者ともにＨｅｘｉｏｎ社の商品名）である。
【０００３】
ビニルアセテート−ビニルエステル−混合ポリマー中の非重合モノマー（残留モノマー）の含分は、例えば、ＤＥ−Ａ１０２００７０１５９４１に記載されているように残留モノマーを混合ポリマーから留去することにより低減することができる。ＤＥ−Ａ１０２１５９６１では、相応する蒸留を共沸添加剤、例えばイソプロパノール又は水を使用して実施すること（ストリッピング）が推奨されている。それとは異なり、さらなる量の開始剤を添加してビニルアセテート−ビニルエステル−混合ポリマーを後重合に供し、それにより残留モノマーの含分を低減させることもできる。
【０００４】
この場合、後重合ないしストリッピングによって、相応するモノマーから出発したビニルアセテート−ビニルエステル−混合ポリマーの製造のための全時間（サイクル時間）が明らかに延長され、かつそれにもかかわらず、明らかに１０００ｐｐｍを下回る高沸点残留モノマーの含分を有するビニルアセテート−ビニルエステル−混合ポリマーを入手できないことが不利である。蒸留又はストリッピングによる残留モノマーの除去は、特に高沸点モノマーが例えば高沸点ビニルエステルである場合は困難であるか又は不可能である。ストリッピングによる残留モノマーの除去のためにも、非重合モノマーのある程度の揮発性が必要である。特に、工業規模でビニルアセテート−ビニルエステル−混合ポリマーを製造する場合、経済的な様式で蒸留又はストリッピングにより高沸点残留モノマーを十分に分離除去することは不可能である。後重合は、副反応としてビニルアセテート−ビニルエステル−混合ポリマーの架橋又はグラフトが生じ、それにより生成物の特性、例えばその粘度が損なわれるという欠点を伴う。このような副反応は、特に、複数の後重合を連続して実施した場合に生じる。
【０００５】
従って、上記の欠点が生じない、高沸点ビニルエステルのわずかな含分を有するビニルアセテート−ビニルエステル−混合ポリマーの製造法を提供するという課題が存在していた。
【０００６】
本発明の対象は、以下：
ビニルアセテート４．９〜９５質量％、
１以上の高沸点ビニルエステル４．９〜９５質量％、並びに場合により
１以上のエチレン系不飽和補助モノマー０．１〜４０質量％
のラジカル開始重合による、高沸点ビニルエステルのわずかな含分を有するビニルアセテート−ビニルエステル−混合ポリマーの製造法において、付加的に、ビニルアセテート０．１〜４０質量％を重合の変換率６５〜９９．９％で添加し、その際、上記の質量％での表記はそれぞれモノマーの全質量に関するものであり、かつそれぞれ合計１００質量％であることを特徴とする方法である。
【０００７】
高沸点ビニルエステルのわずかな含分とは、ビニルアセテート−ビニルエステル−混合ポリマーが、一般に、１０００ｐｐｍ以下、有利には５００ｐｐｍ以下、特に有利には２００ｐｐｍ以下、極めて特に有利には１００ｐｐｍ以下、最も有利には５０ｐｐｍ以下の高沸点ビニルエステルの含分を有することを意味する。
【０００８】
高沸点ビニルエステルは、本発明によれば、有利には１０１３ｈＰａで１５０℃以上、特に有利には１０１３ｈＰａで１７５℃以上、最も有利には１０１３ｈＰａで２００℃以上の沸点を有する。
【０００９】
有利な高沸点ビニルエステルは、５〜２０個のＣ原子を有する直鎖モノカルボン酸のビニルエステル又は５〜２０個のＣ原子を有する分枝鎖α−モノカルボン酸のビニルエステルである。有利な高沸点ビニルエステルの例は、ビニルラウレート、ビニルステアレート、ビニルネオデカノエート、ＶｅｏＶａ９（Ｒ）又はＶｅｏＶａ１０（Ｒ）（両者ともにＨｅｘｉｏｎ社の商品名）である。特に有利な高沸点ビニルエステルは、ビニルラウレート、ＶｅｏＶａ９（Ｒ）及びＶｅｏＶａ１０（Ｒ）である。
【００１０】
ビニルアセテート−ビニルエステル−混合ポリマー中の高沸点ビニルエステル単位の割合は、ビニルアセテート−ビニルエステル−混合ポリマーの全質量に対して有利には２０〜８０質量％、特に有利には４０〜８０質量％、最も有利には５０〜８０質量％である。
【００１１】
ビニルアセテート−ビニルエステル−混合ポリマー中のビニルアセテート単位の割合は、ビニルアセテート−ビニルエステル−混合ポリマーの全質量に対して有利には２０〜８０質量％、特に有利には２０〜６０質量％、最も有利には２０〜５０質量％である。
【００１２】
エチレン系不飽和補助モノマーには、ビニルアセテート及び高沸点ビニルエステルとは異なる、１〜１５個のＣ原子を有するカルボン酸のビニルエステルが含まれる。有利なエチレン系不飽和補助モノマーは、ビニルプロピオネート、ビニルブチレート、ビニル−２−エチルヘキサノエート、１−メチルビニルアセテート及びビニルピバレートである。
【００１３】
エチレン系不飽和補助モノマーには、１〜１５個のＣ原子を有する非分枝鎖又は分枝鎖アルコールのアクリル酸エステル及びメタクリル酸エステル、ビニル芳香族化合物及びビニルハロゲン化物を含む群からの１以上のモノマーも含まれる。特に好ましいアクリル酸エステル又はメタクリル酸エステルは、メチルアクリレート、メチルメタクリレート、エチルアクリレート、エチルメタクリレート、プロピルアクリレート、プロピルメタクリレート、ｎ−、イソ−及びｔ−ブチルアクリレート、ｎ−、イソ−及びｔ−ブチルメタクリレート、２−エチルヘキシルアクリレート、ノルボルニルアクリレート、イソボルニルアクリレート、ステアリルアクリレートである。最も好ましいアクリル酸エステル又はメタクリル酸エステルは、メチルアクリレート、メチルメタクリレート、ｎ−、イソ−及びｔ−ブチルアクリレート、２−エチルヘキシルアクリレート及びイソボルニルアクリレートである。ビニル芳香族化合物として、スチレン又はビニルトルエンが共重合されることができる。ビニルハロゲン化物の群からは、通常、塩化ビニル、塩化ビニリデン又はフッ化ビニル、好ましくは塩化ビニルが使用される。
【００１４】
エチレン系不飽和補助モノマーには、オレフィン及びジエン、例えばエテン及びプロペン；エチレン系不飽和モノ−及びジカルボン酸又はその塩、例えばアクリル酸、メタクリル酸、クロトン酸、フマル酸及びマレイン酸；エチレン系不飽和無水物、例えば無水マレイン酸；フマル酸又はマレイン酸のモノ−又はジエステル、例えばそのエチル−又はイソプロピルエステル；エチレン系不飽和エポキシド、例えばグリシジルアクリレート、グリシジルメタクリレート（ＧＭＡ）又はアリルグリシジルエーテル；エチレン系不飽和スルホン酸又はその塩、例えばビニルスルホン酸、２−アクリル−アミド−２−メチルプロパンスルホン酸；エチレン系不飽和アルコール、例えば２−ヒドロキシエチルアクリレート、ヒドロキシプロピルアクリレート、２−ヒドロキシエチルメタクリレート、ヒドロキシプロピルメタクリレート、又はグリセリン−１−アリルエーテル；エチレン系不飽和１級、２級又は３級アミン、例えば２−ジメチルアミノエチルメタクリレート、２−ｔ−ブチルアミノエチルメタクリレート、アリル−Ｎ−（２−アミノエチル）カルバメート−ヒドロクロリド、アリル−Ｎ−（６−アミノヘキシル）−カルバメート−ヒドロクロリド、アリル−Ｎ−（３−アミノプロピル）−ヒドロクロリド、アリルアミン又はビニルピリジン；エチレン系不飽和アミド、例えば３−ジメチルアミノプロピルメタクリルアミド、３−トリメチルアンモニウムプロピルメタクリルアミドクロリド；ホスホン酸又はその塩、例えばビニルホスホン酸、ＳＩＰＯＭＥＲ  ＰＡＭ−１００（Ｒ）又はＳＩＰＯＭＥＲ２００（Ｒ）（両者ともにＲｈｏｄｉａ社の商品名）も含まれる。
【００１５】
アクリル酸、クロトン酸、フマル酸、マレイン酸、グリシジルメタクリレート（ＧＭＡ）、２−ヒドロキシエチルアクリレート及びヒドロキシプロピルアクリレートも有利なエチレン系不飽和補助モノマーである。
【００１６】
ビニルアセテート−ビニルエステル−混合ポリマーの製造は、塊状重合法により、及び有利には溶液重合法により行われる。好適な溶剤は、例えば、アルデヒド、例えばアセトアルデヒド、プロピオンアルデヒド及びブチルアルデヒド；ケトン、例えばアセトン又はメチルエチルケトン；エステル、例えばメチルアセテート、エチルアセテート及びブチルアセテート又は１〜６個のＣ原子を有する一価の脂肪族アルコール、有利にはメタノール、エタノール、プロパノール、イソプロパノールである。とりわけ有利なのは、エチルアセテート、メタノール及びイソプロパノールである。
【００１７】
重合は一般に還流条件下で一般に４０℃〜１６０℃の重合温度で実施される。これは、常圧、過圧又は減圧で行うことができる。ガス状コモノマー、例えばエチレンの共重合の場合には、より高い圧力で、一般に５〜１５０バールで運転することもできる。反応を常圧下で実施する場合、系に外部エネルギーを供給することができるように、出来る限り高温及び高変換率を達成することができるように、及び、残留モノマー及び溶剤の留去を出来る限り効率的なものとするために、反応の終了時に反応系にわずかな過圧、有利には０．５〜３バールを加えることが有利である。
【００１８】
開始剤として、有機過酸化物又はアゾ化合物が使用される。例えば適しているのは、ジアシルペルオキシド、例えばジラウロイルペルオキシド、ペルオキソエステル、例えばｔ−ブチルペルオキソピバレート又はｔ−ブチルペルオキソ−２−エチルヘキサノエート、又はペルオキソジカーボネート、例えばジエチルペルオキソジカーボネートである。一般的に開始剤量は、モノマーの全質量に対して０．０１〜５．０質量％である。開始剤は装入しても計量供給してもよい。その際、必要とされる開始剤量の一部を装入し、かつ残分を連続的に反応中に計量供給することが好適であることが判明した。
【００１９】
ビニルアセテート−ビニルエステル−混合ポリマーの製造のために、バッチ法により作業することができ、その際、重合バッチの全成分をビニルアセテートの後計量供給まで反応器中に装入するか、又は、セミバッチ法により作業することができ、その際、１以上の成分を装入し、かつ残分を計量供給するか、又は、連続的重合を実施することができ、その際、成分を重合の間に計量供給する。該計量供給は、場合によっては別個に（空間的及び時間的に）実施してよい。
【００２０】
本発明による方法の実施のために本質的なことは、重合の変換率６５〜９９．９％で、即ちそれぞれの時点までに添加されたモノマー量の少なくとも６５質量％（下限）及び最高で９９．９％（上限）が共重合されている時に、使用されたモノマー全体の全質量の０．１〜４０質量％に相当する割合のビニルアセテートを後計量供給（ビニルアセテートの後計量供給）することである。ビニルアセテートの後計量供給は、有利には、７０％以上、特に有利には８０％以上、極めて特に有利には９０％以上、最も有利には９２％以上の重合の変換率の下限で、かつ、有利には９９．５％以下、特に有利には９９％以下、さらに有利には９７％以下、最も有利には９５％以下の上限で行われる。ビニルアセテートの後計量供給量は、使用されるモノマー全体の全質量に対して有利には１〜２０質量％、特に有利には１〜１０質量％である。ビニルアセテートの後計量供給は非連続的か又は連続的に行われてよい。
【００２１】
重合は一般に、使用されるモノマー全体の全質量に対して９５〜９９．９％の変換率で中断される。重合生成物中の非重合高沸点ビニルエステルの含分は、この時点で有利には１０〜１００００ｐｐｍである。
【００２２】
重合の終了後に、残留モノマー及び溶剤を蒸留により除去する。このために、内部温度を１００℃〜２００℃まで高め、次いで真空にする。
【００２３】
ビニルアセテート−ビニルエステル−混合ポリマー中の非重合高沸点ビニルエステル又はその他の残留モノマーの含分を低減するために、後重合を行うことができる。このために、開始剤を場合によりビニルアセテート中か又は１以上のエチレン系不飽和補助モノマー中か又は１以上の溶剤中に溶解させて添加し、４０℃〜２００℃に加熱する。この場合、上記の開始剤及び溶液重合のために記載した溶剤が好適である。有利には、後重合はビニルアセテートの存在で実施される。引き続き、場合により存在する溶剤ないし残留モノマーを１００℃〜２００℃で、有利には真空中で留去する。有利には後重合を１〜３回行う。特に有利には後重合を１回行う。後重合の進行中に場合により添加されるビニルアセテート量は、ビニルアセテートの後計量供給量には含まれない。
【００２４】
ビニルアセテート−ビニルエステル−混合ポリマー中の非重合高沸点ビニルエステルの含分は、前記措置後に一般に１０００ｐｐｍ以下、有利には５００ｐｐｍ以下、特に有利には２００ｐｐｍ以下、最も有利には５０ｐｐｍ以下である。
【００２５】
ビニルアセテート−ビニルエステル−混合ポリマー中の残留モノマーの含分は、１回以上のストリッピングによりさらに低減させることができる。そのために、ビニルアセテート−ビニルエステル−混合ポリマーに１以上の共沸添加剤を添加し、引き続き有利には１００℃〜２００℃で有利には真空中で留去する。有利な共沸添加剤はイソプロパノール又は水である。ストリッピングにより、主にビニルアセテート又は低沸点残留モノマーを留去する。有利には、ストリッピングを２回までか又は３回まで行う。しかしながら、本発明による方法により高沸点ビニルエステルのわずかな含分を有するビニルアセテート−ビニルエステル−混合ポリマーを得るためには、ストリッピングは不要である。
【００２６】
本発明のもう１つの対象は、以下：
ビニルアセテート４．９〜９５質量％、
１以上の高沸点ビニルエステル４．９〜９５質量％、並びに場合により
１以上のエチレン系不飽和補助モノマー０．１〜４０質量％
のラジカル開始重合により得られる、高沸点ビニルエステルのわずかな含分を有するビニルアセテート−ビニルエステル−混合ポリマーにおいて、付加的に、ビニルアセテート０．１〜４０質量％が重合の変換率６５〜９９．９％で添加され、その際、上記の質量％での表記はそれぞれモノマーの全質量に関するものであり、かつそれぞれ合計１００質量％であることを特徴とするビニルアセテート−ビニルエステル−混合ポリマーである。
【００２７】
該ビニルアセテート−ビニルエステル−混合ポリマーは、例えば、塗料におけるバインダーとしての使用に、接着剤、特にヒートシール可能な被覆並びに積層剤の製造に好適である。他の応用分野は、仕上剤及びチューインガム材料のための原料としての、並びに、複合構造部材の分野の低収縮剤としての使用である。このために、ビニルアセテート−ビニルエステル−混合ポリマーを、固形で固体樹脂として、又は、有機溶剤中の溶液の形で使用することができる。
【００２８】
以下の実施例は、本発明をさらに説明するのに用いられる：
【実施例】
【００２９】
比較例１（Ｖ１）：
撹拌釜中に、イソプロパノール１．７ｋｇ、ビニルアセテート１１ｋｇ、ビニルラウレート１６ｋｇ及びｔ−ブチルペルオキソ−２−エチルヘキサノエート１０ｇを装入し、７８℃に加熱することにより重合を開始させた。重合の開始後、３６０分間撹拌し、その間に温度を８９℃に高めた。引き続き、撹拌釜を１４０℃に加熱し、溶剤並びに残留モノマーを真空中で留去した。後重合のために、ジ−ｔ−ブチルペルオキシブタン３０ｇをビニルアセテート０．２ｋｇ中に溶解させて添加し、これを１４０℃で６０分間撹拌した。引き続き、揮発性成分を真空中で２時間留去した。後重合の全期間は３時間であった。他の痕跡量の揮発性有機物質を除去するために水１リットルを添加し、次いで真空中で２時間留去した。前記工程をもう１回繰り返した（全部で２回のストリッピング工程）。
【００３０】
そのようにして得られた溶融物を撹拌釜から厚紙へと排出したところ、−２１℃のガラス転移温度Ｔg、５１１０００ｇ／モルの分子量Ｍw及び５７００ｐｐｍの高沸点ビニルエステルビニルラウレートの含分を有する透明な固体樹脂がもたらされた。
【００３１】
比較例２（Ｖ２）：
撹拌釜中に、イソプロパノール１．７ｋｇ、ビニルアセテート１１ｋｇ、ビニルラウレート１６ｋｇ及びｔ−ブチルペルオキソ−２−エチルヘキサノエート１０ｇを装入し、７８℃に加熱することにより重合を開始させた。重合の開始後、３６０分間撹拌し、その間に温度を８９℃に高めた。引き続き、撹拌釜を１４０℃に加熱し、溶剤並びに残留モノマーを真空中で留去した。後重合のために、ジ−ｔ−ブチルペルオキシブタン３０ｇをビニルアセテート０．２ｋｇ中に溶解させて添加し、１４０℃で６０分間撹拌した。引き続き、揮発性成分を真空中で２時間留去した。後重合の全期間は３時間であった。後重合を全部で３回実施した。他の痕跡量の揮発性有機物質を除去するために水１リットルを添加し、次いで真空中で２時間留去した。前記工程をもう１回繰り返した（全部で２回のストリッピング工程）。
【００３２】
そのようにして得られた溶融物を撹拌釜から厚紙へと排出したところ、−１８℃のガラス転移温度Ｔg、４８００００ｇ／モルの分子量Ｍw及び２１５０ｐｐｍの高沸点ビニルエステルビニルラウレートの含分を有する透明な固体樹脂がもたらされた。
【００３３】
実施例３（Ｂ３）：
撹拌釜中に、イソプロパノール１．７ｋｇ、ビニルアセテート９ｋｇ、ビニルラウレート１６ｋｇ及びｔ−ブチルペルオキソ−２−エチルヘキサノエート１０ｇを装入し、７８℃に加熱することにより重合を開始させた。開始から２４０分後に、８０％のモノマー変換率でビニルアセテート２ｋｇを５分間で後重合した。１２０分間撹拌し、その間に温度を９２℃に高めた。引き続き１４０℃に加熱し、溶剤並びに残留モノマーを真空中で留去した。後重合のために、ジ−ｔ−ブチルペルオキシブタン３０ｇをビニルアセテート０．２ｋｇ中に溶解させて添加し、１４０℃で６０分間撹拌した。引き続き、揮発性成分を真空下に２時間留去した。後重合をさらに２回繰り返した。他の痕跡量の揮発性有機物質を除去するために水１リットルを添加し、真空中で２時間留去した。前記工程をもう１回繰り返した（全部で２回のストリッピング工程）。
【００３４】
そのようにして得られた溶融物を撹拌釜から厚紙へと排出したところ、−１８℃のガラス転移温度Ｔg、４８１０００ｇ／モルの分子量Ｍw及び２６ｐｐｍの高沸点ビニルエステルビニルラウレートの含分を有する透明な固体樹脂がもたらされた。
【００３５】
実施例４（Ｂ４）：
撹拌釜中に、イソプロパノール１．７ｋｇ、ビニルアセテート９ｋｇ、ビニルラウレート１６ｋｇ及びｔ−ブチルペルオキソ−２−エチルヘキサノエート１０ｇを装入し、７８℃に加熱することにより重合を開始させた。開始から２４０分後に、８０％のモノマー変換率でビニルアセテート２ｋｇを５分間で後重合した。さらに１２０分間撹拌し、その間に温度を９２℃に高めた。引き続き１４０℃に加熱し、溶剤並びに残留モノマーを真空中で留去した。後重合のために、ジ−ｔ−ブチルペルオキシブタン３０ｇをビニルアセテート０．２ｋｇ中に溶解させて添加し、１４０℃で６０分間撹拌した。引き続き、揮発性成分を真空中で２時間留去した。ストリッピングによる他の痕跡量の揮発性有機物質の除去を省略した。
【００３６】
そのようにして得られた溶融物を撹拌釜から厚紙へと排出したところ、−１６℃のガラス転移温度Ｔg、４２４０００ｇ／モルの分子量Ｍw及び１４２ｐｐｍの高沸点ビニルエステルビニルラウレートの含分を有する透明な固体樹脂がもたらされた。
【００３７】
実施例６（Ｂ６）、実施例８（Ｂ８）、実施例１０〜１２（Ｂ１０〜Ｂ１２）を実施例３ないし４と同様に実施し、かつ、比較例５（Ｖ５）、比較例７（Ｖ７）、比較例９（Ｖ９）並びに比較例１３〜１５（Ｖ１３〜Ｖ１５）を比較例１ないし２と同様に実施し、その際、第１表中の記載に相応したそれぞれのモノマー組成の割合のモノマー並びに他の方法パラメータを使用した。第１表に記載された重合の場合、それぞれ、高沸点ビニルエステル及びビニルアセテートの量が合計で１００質量％となるような量のビニルアセテートを使用した。
【００３８】
【表１】
2011510099.tif 000002
【００３９】
比較例１３〜１５は、ビニルアセテート−ビニルエステル−混合ポリマー中の非重合高沸点ビニルエステルの含分を低減させるためには、ストリッピングよりも後重合の実施がより効果的であることを証明している。
【００４０】
比較例１（Ｖ１、第１表）から、ビニルアセテート−ビニルエステル−混合ポリマー中の高沸点ビニルエステルの含分を、後重合及び２回のストリッピングにもかかわらず５７００ｐｐｍまでしか低減させられなかったことが明らかである。後重合の数を１回（Ｖ１、第１表）から３回（Ｖ２、第１表）に高めることによって、確かによりわずかな、しかしながら依然として許容不可能な高いビニルラウレートの含分がもたらされるが、該含分は本発明によれば他の処理工程（後重合、ストリッピング）によらなくとも５００ｐｐｍを下回る値に低下させることができる。従って、高沸点ビニルエステルのわずかな含分を有するビニルアセテート−ビニルエステル−混合ポリマーは、従来の様式では入手不可能である。
【００４１】
さらに、Ｖ２において、時間のかかる複数回の後重合及び複数回のストリッピングによって、サイクル時間は明らかに高められている。その上さらにＶ２では、高沸点ビニルエステルの含分の低減にかかった時間は、重合の実施にかかった時間よりも長かった。このことは、ビニルアセテート−ビニルエステル−混合ポリマーの効率的でかつ廉価な製造のためには許容不可能であり、かつ高い製造コストを招く。
【００４２】
それに対して本発明による方法を用いた場合、高沸点ビニルエステルの含分を例えば２６ｐｐｍの範囲に低減させることができる（実施例３）。
【００４３】
本発明による方法をストリッピングなしでかつ１回の後重合で実施した場合であっても（実施例４）、比較例１及び２に対して極めて低いビニルアセテート−ビニルエステル−混合ポリマー中のビニルラウレート含分のみが残留し、これはさらにサイクル時間の著しい短縮を伴う。
【００４４】
比較例５及び実施例６ないし比較例７及び実施例８から、本発明による手段において（実施例６ないし８）時間のかかるストリッピングを省略したにもかかわらず、本発明による方法によってビニルラウレートのより低い含分（ポリマーの全質量に対してビニルラウレート４０質量％ないし２０質量％）を有するビニルアセテート−ビニルエステル−混合ポリマーを製造する場合にも、ビニルアセテート−ビニルエステル−混合ポリマー中の非重合ビニルラウレートの含分の相当の低下を達成することができることが明らかである。しかしながら、本発明による効果は高沸点ビニルエステルの高い含分を有するビニルアセテート−ビニルエステル−混合ポリマーを製造する際に特に劇的である（実施例３ないし４及び比較例１ないし２）。
【００４５】
実施例１０〜１２及び比較例９は、上でビニルラウレートについて述べたことが、ビニルラウレートよりも低い沸点を有するビニルエステルであるＶｅｏＶａ９（Ｒ）及びＶｅｏＶａ１０（Ｒ）を使用した場合にも当てはまることを証明している。
【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
以下：
ビニルアセテート４．９〜９５質量％、
１以上の高沸点ビニルエステル４．９〜９５質量％、並びに場合により
１以上のエチレン系不飽和補助モノマー０．１〜４０質量％
のラジカル開始重合による、１０１３ｈＰａで１５０℃以上の沸点を有する高沸点ビニルエステルのわずかな含分を有するビニルアセテート−ビニルエステル−混合ポリマーの製造法において、付加的に、ビニルアセテート０．１〜４０質量％を重合の変換率６５〜９９．９％で添加し、かつ、開始剤を場合によりビニルアセテート中か又は１以上のエチレン系不飽和補助モノマー中か又は１以上の溶剤中に溶解させて添加して４０℃〜２００℃に加熱することによりビニルアセテート−ビニルエステル−混合ポリマー中の非重合高沸点ビニルエステルの含分を後重合により低減させ、その際、上記の質量％での表記はそれぞれモノマーの全質量に関するものであり、かつそれぞれ合計１００質量％であることを特徴とする方法。
【請求項２】
高沸点ビニルエステルの含分が５００ｐｐｍ以下である、請求項１記載の方法。
【請求項３】
高沸点ビニルエステルが１０１３ｈＰａで有利には１５０℃以上の沸点を有する、請求項１又は２記載の方法。
【請求項４】
高沸点ビニルエステルとして、２０個までのＣ原子を有する直鎖モノカルボン酸のビニルエステル及び／又は５〜２０個のＣ原子を有する分枝鎖α−モノカルボン酸のビニルエステルを使用する、請求項１から３までのいずれか１項記載の方法。
【請求項５】
高沸点ビニルエステルとして、ビニルラウレート、ビニルステアレート、ビニルネオデカノエート、ＶｅｏＶａ９（Ｒ）及びＶｅｏＶａ１０（Ｒ）を含む群から選択された１以上のモノマーを使用する、請求項１から４までのいずれか１項記載の方法。
【請求項６】
ビニルアセテート−ビニルエステル−混合ポリマー中の残留モノマーの含分を、蒸留又はストリッピングにより低減させる、請求項１から５までのいずれか１項記載の方法。
【請求項７】
塗料用バインダーとしての、積層剤を製造するための、請求項１から６までのいずれか１項記載の方法の生成物の使用。
【請求項８】
仕上剤、チューインガム材料のための原料としての、又は低収縮剤としての、請求項１から６までのいずれか１項記載の方法の生成物の使用。
【国際調査報告】
2011510099.tif 000003
2011510099.tif 000004
2011510099.tif 000005
2011510099.tif 000006
2011510099.tif 000007
2011510099.tif 000008